(57)【特許請求の範囲】
【請求項１】
共通バス（Ｌ）に、居室親機選局呼出のための呼出スイッチ（４１）を有するスイッチモジュール（４Ａ）が接続され呼出・通話を行なうための制御回路（３４）を含む通話モジュール（３Ａ）から構成された玄関機（９Ａ）と、電源供給を行なうバスＩ／Ｆモジュール（２）と、呼出・選局された１機が送受器（１３）をフックオフして前記玄関機と通話を行なう複数の居室親機（１Ａ、・・・）とをバス接続して構成される集合住宅用インターホンシステムであって、
前記居室親機は、前記玄関機との間で施工後の通話確認テストを行なうにあたり、前記送受器をフックオフした後に当該居室親機に対応させたい居室番号の呼出スイッチを押下し、その後の前記送受器のフックオンを検出した前記制御回路から発行される前記居室番号のアドレス番号を記憶し、前記呼出、通話の際に読出して使用する居室番号保存用メモリ（１６）を設けたことを特徴とする集合住宅用インターホンシステム。
【請求項２】
共通バス（Ｌ）に、居室親機選局呼出のための呼出スイッチ（４１）を有するスイッチモジュール（４Ｂ）が接続され呼出・通話を行なうための制御回路（３４）を含む通話モジュール（３Ｂ）から構成された玄関機（９Ｂ）と、電源供給を行なうバスＩ／Ｆモジュール（２）と、呼出・選局された１機が送受器（５３）をフックオフして前記玄関機と通話を行なう複数の居室親機（１Ｂ、・・・）とをバス接続して構成される集合住宅用インターホンシステムであって、
前記送受器は前記居室親機と取り外し可能にモジュラージャック方式で接続され、前記送受器に、前記送受器を予め定められたアドレス番号を記憶した居室番号書込機（１００）に接続して発行される前記居室番号のアドレス番号を記憶し、前記呼出、通話の際に読出して使用する居室番号保存用メモリ（５４）を設け、前記送受器を前記居室親機に接続しフックオフし前記居室親機に対応させたい居室番号の呼出スイッチを押下して通話状態とすることにより施工後の通話確認テストを行なうことを特徴とする集合住宅用インターホンシステム。
【発明の詳細な説明】
【０００１】
【発明の属する技術分野】
本発明は集合住宅用インターホンシステムに係り、特に施工後に居室親機の居室番号のアドレス番号設定と、通話確認テストとを行う必要がある集合住宅用インターホンシステムに関する。
【０００２】
【従来の技術】
従来から、この種の集合住宅用インターホンシステムとして、図４に示すような集合住宅用インターホンシステムが提案されている。この集合住宅用インターホンシステムは、集合住宅のエントランス等に設置される玄関機６００と、集合住宅の複数の住戸内にそれぞれ設置される居室親機２００、・・・と、玄関機６００および複数の居室親機２００、・・・をバス接続する共通バスＬ１００と、電源専用線Ｌ２００を介して玄関機６００および複数の居室親機２００、・・・に直流電源の供給を行なう電源回路３０１を有するバスI/Fモジュール３００とから構成されている。
【０００３】
玄関機６００は、共通バスＬ１００および電源専用線Ｌ２００に接続され呼出・通話を行なうための通話モジュール４００と、通話モジュール４００に接続され居室親機選局呼出のための複数のスイッチモジュール５００、・・・とから構成されている。通話モジュール４００は、共通バスＬ１００に接続され各種信号を多重・分離するインターフェイス回路４０１と、インターフェイス回路４０１に接続されマイクＭ１００、スピーカＳ１００を通話制御する通話回路４０２と、インターフェイス回路４０１にデータ送受信回路４０５を介して接続される制御回路４０４と、制御回路４０４に接続され居室番号のアドレス番号を設定するディップスイッチ２０６と、電源専用線Ｌ２００に接続される電源回路４０３とから構成されている。なお、制御回路４０３は通話回路４０２に接続されている。スイッチモジュール５００は、呼出スイッチ５０１が接続されたスイッチ制御回路５０２を有し、このスイッチ制御回路５０２は、通話モジュール４００の制御回路４０４に接続されている。また、スイッチモジュール５００は照明回路５０３も有している。なお、他の複数のスイッチモジュール５００、・・・は、各スイッチ制御回路５０２が直列接続されている。
【０００４】
居室親機２００は、共通バスＬ１００に接続され各種信号を多重・分離するインターフェイス回路２０１と、インターフェイス回路２０１に接続され送受器２０３などを通話制御する通話回路２０２と、インターフェイス回路２０１にデータ送受信回路２０７を介して接続される制御回路２０５と、電源専用線Ｌ２００に接続される電源回路２０４とから構成されている。なお、制御回路２０５は通話回路２０２に接続されている。
【０００５】
このように構成された集合住宅用インターホンシステムにおいて、当該システムの施工後に玄関機６００で所定の居室親機２００を呼出すことができるようにするには、居室親機２００の機器内にあるディップスイッチ２０６を操作して居室番号のアドレス番号を設定する。具体的には、複数の居室親機２００、・・・と、玄関機６００の複数のスイッチモジュール５００、・・・とを個別に対応させるための対応表を参照しながら、居室親機２００のディップスイッチ２０６を予め決められた組み合わせに設定して、玄関機６００のスイッチモジュール５００が有する所定の呼出スイッチ５０１と対応させる。すべての居室親機２００、・・・のディップスイッチ２０６を設定した後、玄関機６００の通話モジュール４００と居室親機２００との間で、スイッチモジュール５００の呼出スイッチ５０１を押し、居室親機２００の送受器２０３をフックオフするという通話確認テストを行い、通話ができることを確認する。
【０００６】
【発明が解決しようとする課題】
しかしながら、このような集合住宅用インターホンシステムでは、居室親機２００で居室番号のアドレス番号を設定する際に、居室親機２００内にあるディップスイッチ２０６を手作業で一台ごとに異なる設定とする必要があるので、設定忘れや設定間違いが起きる虞があった。特に大規模な集合住宅インターホンシステムの場合、組み合わせも複雑になり、設定するのに時間がかかっていた。
【０００７】
本発明は、このような従来の難点を解決するためになされたもので、居室親機の居室番号のアドレス番号を設定忘れや設定間違いがなく簡単に設定することができる集合住宅用インターホンシステムを提供することを目的とする。
【０００８】
【課題を解決するための手段】
上記目的を達成する本発明の集合住宅用インターホンシステムは、共通バスに、居室親機選局呼出のための呼出スイッチを有するスイッチモジュールが接続され呼出・通話を行なうための制御回路を含む通話モジュールから構成された玄関機と、電源供給を行なうバスＩ／Ｆモジュールと、呼出・選局された１機が送受器をフックオフして玄関機と通話を行なう複数の居室親機とをバス接続して構成される集合住宅用インターホンシステムであって、居室親機は、玄関機との間で施工後の通話確認テストを行なうにあたり、送受器をフックオフした後に当該居室親機に対応させたい居室番号の呼出スイッチを押下し、その後の送受器のフックオンを検出した制御回路から発行される居室番号のアドレス番号を記憶し、呼出、通話の際に読出して使用する居室番号保存用メモリを設けたものである。
【０００９】
このような集合住宅用インターホンシステムによれば、施工後、通話確認テストのために居室親機で送受器をフックオフして通話状態にし、この状態で玄関機の当該居室親機に対応させたい居室番号の呼出スイッチを押下し、さらに、当該居室親機の送受器をフックオンすると、玄関機の通話モジュールの制御回路から居室番号のアドレス番号が発行され当該居室親機が有する居室番号保存用メモリに記憶される。この居室番号保存用メモリは、呼出、通話の際に読出して使用されるので、玄関機の所定の呼出スイッチで選局した居室親機を呼出すことができるようになる。
【００１０】
また、本発明の集合住宅用インターホンシステムは、共通バスに、居室親機選局呼出のための呼出スイッチを有するスイッチモジュールが接続され呼出・通話を行なうための制御回路を含む通話モジュールから構成された玄関機と、電源供給を行なうバスＩ／Ｆモジュールと、呼出・選局された１機が送受器をフックオフして玄関機と通話を行なう複数の居室親機とをバス接続して構成される集合住宅用インターホンシステムであって、送受器は居室親機と取り外し可能にモジュラージャック方式で接続され、送受器に、送受器を予め定められたアドレス番号を記憶した居室番号書込機に接続して発行される居室番号のアドレス番号を記憶し、呼出、通話の際に読出して使用する居室番号保存用メモリを設け、送受器を居室親機に接続しフックオフし居室親機に対応させたい居室番号の呼出スイッチを押下して通話状態とすることにより施工後の通話確認テストを行なうものである。
【００１１】
このような集合住宅用インターホンシステムによれば、施工後、居室親機用の送受器を居室番号書込機に接続することにより、当該居室番号書込機から居室番号のアドレス番号が発行されるので、当該送受器が有する居室番号保存用メモリに記憶される。この居室番号保存用メモリは、呼出、通話の際に読出して使用されるので、この居室番号保存用メモリを有する当該送受器を所定の居室親機に接続してフックオフし、この状態で玄関機の当該居室親機に対応させたい居室番号の呼出スイッチを押下すれば、通話状態となり通話確認テストが完了する。
【００１２】
【発明の実施の形態】
以下、本発明の集合住宅用インターホンシステムによる好ましい実施の形態例について、図面を参照して説明する。
【００１３】
本発明の集合住宅用インターホンシステムは図２に示すように、集合住宅のエントランス等に設置される玄関機９Ａと、集合住宅の複数の住戸内にそれぞれ設置される居室親機１Ａ、・・・と、玄関機９Ａおよび複数の居室親機１Ａ、・・・をバス接続する共通バスＬと、共通バスＬを介して玄関機９Ａおよび複数の居室親機１Ａ、・・・に直流電源の供給を行なうバスI/Fモジュール２とから構成されている。
【００１４】
玄関機９Ａは、共通バスＬに接続され呼出・通話を行なうための通話モジュール３Ａと、通話モジュール３Ａに接続され居室親機選局呼出のための複数のスイッチモジュール４Ａ、・・・とから構成されている。通話モジュール３Ａは図１に示すように、共通バスＬに入力インピーダンスを高インピーダンスに増大するインピーダンスアッパー回路３１を介して接続される多重・分離回路３６を有し、この多重・分離回路３６にはマイクＭ１、スピーカＳ１を通話制御する通話回路３２と、制御回路３４に接続されるデータ送受信回路３５と、玄関機９Ａの各回路に電源を供給する電源回路３３とがそれぞれ接続されている。なお、制御回路３４は通話回路３２に接続され、当該通話回路３２を制御している。スイッチモジュール４Ａは図１に示すように、呼出スイッチ４１が接続されたスイッチ制御回路４２を有し、このスイッチ制御回路４２は通話モジュール３Ａの制御回路３４に接続されている。また、スイッチモジュール４Ａは、当該スイッチモジュール４Ａの照明となる照明回路４３も有している。なお、他の複数のスイッチモジュール４Ａ、・・・は、各スイッチ制御回路４２が直列接続されている。
【００１５】
居室親機１Ａは図１に示すように、共通バスＬに入力インピーダンスを高インピーダンスに増大するインピーダンスアッパー回路１１を介して接続される多重・分離回路１８を有し、この多重・分離回路１８には送受器１３を通話制御する通話回路１２と、制御回路１５に接続されるデータ送受信回路１７と、居室親機１Ａの各回路に電源を供給する電源回路１４とがそれぞれ接続され、さらに、この通話回路１２と制御回路１５とは接続されている。このような制御回路１５には、玄関機９Ａの通話モジュール３Ａが有する制御回路３４から発行される居室番号のアドレス番号を記憶し、呼出、通話の際に読出して使用される居室番号保存用メモリ１６と、通話確認テストを行なうための設定スイッチ１８とが接続されている。
【００１６】
バスI/Fモジュール２は図１に示すように、直流電源に電源回路２１を介して接続される出力インピーダンスを高インピーダンスに増大するインピーダンスアッパー回路２２を備えている。
【００１７】
このように構成された集合住宅用インターホンシステムにおいて、当該システムの施工後に玄関機９Ａで所定の居室親機１Ａを呼出すことができるようにするには、通話確認テストを行なう。具体的には、所定の居室親機１Ａの設定スイッチ１８を、通話確認テストを行なうための「設定モード」に切替えて送受器１３をフックオフして通話状態にする。ここで、この居室親機１Ａの送受器１３と、玄関機９Ａの通話モジュール３ＡのマイクＭ１、スピーカＳ１とで通話確認を行うために、玄関機９Ａの当該居室親機１Ａに対応させたい居室番号の呼出スイッチ４１を押下する。通話確認後、当該居室親機１Ａの送受器１３をフックオンすると、玄関機９Ａの通話モジュール３Ａの制御回路３４は、このフックオン状態を検出し押下した呼出スイッチ４１に基づく居室番号のアドレス番号を発行する。このアドレス番号は、データ送受信回路３５、多重・分離回路３６およびインピーダンスアッパー回路３１を介して共通バスＬにアドレス番号データとして伝送される。この共通バスＬに伝送されたアドレス番号データは、当該居室親機１Ａの制御回路１５によって居室番号保存用メモリ１６に記憶される。なお、このアドレス番号は押下された呼出スイッチ４１に基づき制御回路３４が発行しているので、このインターホンシステム内で同じアドレス番号が発行されることはない。
【００１８】
このような設定作業を繰返して、玄関機９Ａの通話モジュール３Ａと居室親機１Ａとの通話確認テストが終了したら、各居室親機１Ａ、・・・の設定スイッチ１８を「非設定モード」に切替えて居室番号の「設定モード」を解除する。なお、一つの設定作業ごとに、居室親機１Ａの設定スイッチ１８を「非設定モード」に切替えてもよい。居室親機１Ａは、この設定作業後、居室番号保存用メモリ１６に記憶されたアドレス番号に基づき玄関機９Ａの通話モジュール３Ａと通信して、呼出や通話等の動作を行なうことができるようになる。
【００１９】
また、本発明の集合住宅用インターホンシステムによる好ましい他の実施の形態例としては図３に示すように、予め定められたアドレス番号を記憶した居室番号書込機１００によって居室親機１Ｂの居室番号保存用メモリ５４に居室番号のアドレス番号を記憶させるようにしてもよい。
【００２０】
このような集合住宅用インターホンシステムは上述した集合住宅用インターホンシステムとほぼ同じような構成で、集合住宅のエントランス等に設置される玄関機９Ｂと、集合住宅の複数の住戸内にそれぞれ設置される居室親機１Ｂ、・・・と、玄関機９Ｂおよび複数の居室親機１Ｂ、・・・をバス接続する共通バスＬと、共通バスＬを介して玄関機９Ｂおよび複数の居室親機１Ｂ、・・・に直流電源の供給を行なうバスI/Fモジュール２とから構成されている（図２）。
【００２１】
玄関機９Ｂは図３に示すように、玄関機９Ａと同様に通話モジュール３Ｂおよび複数のスイッチモジュール４Ｂ、・・・から構成され、この通話モジュール３Ｂおよびスイッチモジュール４Ｂは玄関機９Ａの通話モジュール３Ａおよびスイッチモジュール４Ａ（図１）と同一構成なので、同一符号を付して説明を省略する。
【００２２】
居室親機１Ｂは図３に示すように、送受器５３を当該居室親機１Ｂと取り外し可能にモジュラージャック方式で接続できるような構造である。この送受器５３には、居室番号書込機１００に接続して発行される居室番号のアドレス番号を記憶する居室番号保存用メモリ５４が設けられている。したがって、上述した居室親機１Ａ（図１）のように、制御回路１５に居室番号保存用メモリ１６および設定スイッチ１８は設けられていない。なお、送受器、居室番号保存用メモリおよび設定スイッチ以外は居室親機１Ａと同一構成なので、同一符号を付して説明を省略する。
【００２３】
また、バスI/Fモジュール２は図３に示すように、上述したバスI/Fモジュール２（図１）と同一構成なので、同一符号を付して説明を省略する。
【００２４】
このように構成された集合住宅用インターホンシステムにおいて、当該システムの施工後に玄関機９Ｂで所定の居室親機１Ｂを呼出すことができるようにするには、所定の居室親機９Ｂの送受器５３を取り外して居室番号書込機１００に接続する。なお、この居室番号書込機１００には、予め複数の居室親機１Ｂ、・・・と、玄関機９Ｂの複数のスイッチモジュール３Ｂ、・・・とを個別に対応させるための対応表が記憶されているので、施工工事担当者が間違えることなく居室番号のアドレス番号を設定することができる。居室番号書込機１００はこの送受器５３が接続されると、玄関機９Ｂの所定のスイッチモジュール３Ｂに対応する居室番号のアドレス番号を居室番号保存用メモリ５４に記憶させる。
【００２５】
この居室番号のアドレス番号が記憶された送受器５３を元の居室親機１Ｂに接続して通話確認テストを行なう。通話確認テストは、この居室親機９Ｂの送受器５３をフックオフし、玄関機９Ｂの通話モジュール３ＢのマイクＭ１、スピーカＳ１とで通話確認を行なうために、玄関機９Ｂの当該居室親機１Ｂに対応させたい居室番号の呼出スイッチ４１を押下する。これにより、居室番号のアドレス番号設定と通話確認テストとが完了することになる。
【００２６】
このような居室番号のアドレス番号設定機能を有する集合住宅用インターホンシステムは図１、図３に示すように、安定化された直流電源がバスI/Fモジュール２のインピーダンスアッパー回路２２から共通バスＬに供給され、玄関機９Ａ、（９Ｂ）のインピーダンスアッパー回路３１や複数の居室親機１Ａ、・・・、（１Ｂ、・・・）のインピーダンスアッパー回路１１を経由して電源回路３３や電源回路１４、・・・に待受時の電源として受給されるので、バスI/Fモジュール２で共通バスＬに電源供給を行なう際に、定電流動作を行なうインピーダンスアッパー回路２２を介して電源供給を行ない、且つ玄関機９Ａ、（９Ｂ）で電源を受給する際に当該玄関機９Ａ、（９Ｂ）のインピーダンスアッパー回路３１が、居室親機１Ａ、（１Ｂ）で電源を受給する際に当該居室親機１Ａ、（１Ｂ）のインピーダンスアッパー回路３１がそれぞれ定電流動作を行なうことから、共通バスＬにバスI/Fモジュール２、玄関機９Ａ、（９Ｂ）および複数の居室親機１Ａ、・・・、（１Ｂ、・・・）を接続しても当該共通バスＬが持つ交流インピーダンスの低下を防ぐことができる。したがって、共通バスＬの伝送損失を減少させることができ、データ信号や音声信号の伝送状態を安定化させることができる。
【００２７】
【発明の効果】
以上の説明から明らかなように、本発明の集合住宅用インターホンシステムの請求項１によれば、通話確認テストを行なうだけで居室親機の居室番号のアドレス番号を設定できるようになり、また、請求項２によれば、送受器と居室番号書込機とを接続するだけで居室親機の居室番号のアドレス番号を設定できるので、居室番号を煩雑な手作業で設定する手間を省くことができ、而もアドレス番号の設定忘れや設定間違いをなくすことができる。
【図面の簡単な説明】
【図１】  本発明の集合住宅用インターホンシステムによる好ましい実施の形態例を示すブロック図。
【図２】  本発明の集合住宅用インターホンシステムを示す全体構成図。
【図３】  本発明の集合住宅用インターホンシステムによる好ましい他の実施の形態例を示すブロック図。
【図４】  従来の集合住宅用インターホンシステムを示すブロック図。
【符号の説明】
１Ａ、１Ｂ・・・・・居室親機
２・・・・・バスＩ／Ｆモジュール
３Ａ、３Ｂ・・・・・通話モジュール
４Ａ、４Ｂ・・・・・スイッチモジュール
９Ａ、９Ｂ・・・・・玄関機
１３、５３・・・・・送受器
１６、５４・・・・・居室番号保存用メモリ
３４・・・・・制御回路
４１・・・・・呼出スイッチ
１００・・・・・居室番号書込機
Ｌ・・・・・共通バス
【図１】
0004410950.tif 000002
【図２】
0004410950.tif 000003
【図３】
0004410950.tif 000004
【図４】
0004410950.tif 000005